(57)【要約】第１のエンティティは、修正された電圧が第２のエンティティによって検出され、通信が第２のエンティティにおいて受信されるように、バスを高インピ−ダンス状態に切り替えることと、発信通信に従って電力バス上の電圧を修正することによって、共有電力バスを経由して第２のエンティティと通信する。一実施形態において、第１のエンティティは、中央制御ユニットを備え、第２のエンティティは、光源を備えている。一実施形態において、発信通信は、光源の特性を修正するためのコマンドを備えている。
2013543216.tif 000002
【特許請求の範囲】
【請求項１】
電力供給部によって給電される電力バスに接続されている複数のエンティティ間の通信方法であって、
前記電力バスと前記電力供給部との間の接続を低インピ−ダンス状態から高インピ−ダンス状態に切り替えることと、
前記電力バスに接続されている第１のエンティティにおいて、発信通信に従って、前記電力バス上の電圧を修正することと、
前記電力バスに接続されている第２のエンティティにおいて、前記修正された電圧を検出し、それによって、前記第２のエンティティにおいて、前記通信を受信することと
を含む、方法。
【請求項２】
前記第１のエンティティは、中央制御ユニットを備え、前記第２のエンティティは、光源を備えている、請求項１に記載の方法。
【請求項３】
前記発信通信は、前記光源の特性を修正するためのコマンドを備えている、請求項２に記載の方法。
【請求項４】
前記共通電力バスに接続されている追加の光源において、前記修正された電圧を検出することをさらに含む、請求項２に記載の方法。
【請求項５】
前記通信は、前記光源または前記追加の光源のうちの１つを一意的にアドレス指定する、請求項４に記載の方法。
【請求項６】
前記第１のエンティティは、光源を備え、前記第２のエンティティは、中央制御ユニットを備えている、請求項１に記載の方法。
【請求項７】
前記発信通信は、前記光源のステ−タスを備えている、請求項６に記載の方法。
【請求項８】
前記電圧を修正することは、負のパルスを前記電力バスに印加することを含む、請求項１に記載の方法。
【請求項９】
前記負のパルスは、前記電力供給部の電圧の約半分の電圧を有している、請求項８に記載の方法。
【請求項１０】
修正された電圧を検出した後、前記電力バスと前記電力供給部との間の接続を前記高インピ−ダンス状態から前記低インピ−ダンス状態に切り替えることをさらに含む、請求項１に記載の方法。
【請求項１１】
前記通信信号を送信することは、ウェイクアップ信号を送信することを含む、請求項１に記載の方法。
【請求項１２】
前記通信信号をエンコ−ディングすることをさらに含む、請求項１に記載の方法。
【請求項１３】
前記通信信号を送信することは、エンティティ識別信号を送信することを含む、請求項１に記載の方法。
【請求項１４】
前記通信信号を受信することは、前記共通電力バス上の負のパルスを検出することを含む、請求項１に記載の方法。
【請求項１５】
前記通信信号を受信することは、メッセ−ジング負荷を前記共通電力バスにかけ、その後、前記電力供給部のソ−スインピ−ダンスをストロ−ブすることを含む、請求項１に記載の方法。
【請求項１６】
前記エンティティは、光源を含み、前記方法は、前記光源において一定の電圧を十分に維持し、立ち下がりパルス中に放出される光のヒトの眼に検出可能な劣化を回避するステップをさらに含む、請求項１に記載の方法。
【請求項１７】
電力バスを介して電力供給部によって給電される複数のエンティティ間の通信のためのシステムであって、
低電力供給部出力インピ−ダンスおよび高電力供給部出力インピ−ダンスのうちのいずれかを選択するインピ−ダンス切替回路と、
前記インピ−ダンス切替回路を使用して、前記高電力供給部出力インピ−ダンスを選択し、その後、前記電力バスを経由して、コマンドを送信する中央コントロ−ラと、
前記電力バスを経由して、前記中央コントロ−ラから前記コマンドを受信し、前記電力バスを経由して、前記中央コントロ−ラに応答を送信する光源と
を備えている、システム。
【請求項１８】
前記中央コントロ−ラは、負のパルスを前記共通電力バスに印加するためのメッセ−ジング負荷インピ−ダンスを備えている、請求項１７に記載のシステム。
【請求項１９】
前記中央コントロ−ラは、前記共通電力バス上の負のパルスを検出するためのコンパレ−タを備えている、請求項１７に記載のシステム。
【請求項２０】
前記光源は、負のパルスを前記共通電力バスに印加するためのメッセ−ジング負荷インピ−ダンスを備えている、請求項１７に記載のシステム。
【請求項２１】
前記光源は、前記高電力供給部出力インピ−ダンスが選択されている場合に電力を前記光源に供給するためのフィルタキャパシタを備えている、請求項１７に記載のシステム。
【請求項２２】
前記インピ−ダンス切替回路は、電力ＦＥＴ、シリコン制御整流器、またはサイリスタのうちの１つを備えている、請求項１７に記載のシステム。
【請求項２３】
前記電力バスは、ＤＣバスまたはＡＣバスのうちの１つである、請求項１７に記載のシステム。
【請求項２４】
電力バスに接続された中央コントロ−ラと通信し、前記電力バスを介して電力供給部によって給電されている光源であって、前記光源は、
光を放出するＬＥＤ光と、
前記電力バス上の電圧変化を検出する入力回路であって、前記電圧変化は、前記中央コントロ−ラによって開始される、入力回路と、
前記電圧変化をコマンドとして解釈するプロセッサと、
前記コマンドに応答して、前記電力バス上の電圧を修正し、それによって、通信を前記中央コントロ−ラに送信する出力回路と
を備えている、光源。
【請求項２５】
通信中、電力を前記ＬＥＤ光に提供するキャパシタをさらに備えている、請求項２４に記載の光源。
【発明の詳細な説明】
【技術分野】
【０００１】
（関連出願の引用）
本願は、米国仮特許出願第６１／３８３，５０６号、第６１／３８３，５１７号（両出願とも２０１０年９月１６日出願）を基礎とする優先権および利益を主張する。これらは、その全体が参照により本明細書に引用される。
【０００２】
（技術分野）
本発明の実施形態は、概して、中央コントロ−ラによって制御および管理される複数の光源を有する照明システムに関する。
【背景技術】
【０００３】
複数の光源を含む、照明システムは、回路の冗長な複製を各光源に含むのではなく、中央コントロ−ラ内に、電力供給部等の、光源すべてに共通する回路を設置し得る。中央電力供給部は、例えば、使用される総構成要素が少ないので、照明システムのコストを削減し、システムによって消費される電力を低減し、より小型かつ低温光源を可能にし、保守または修理のためにより便利なアクセスポイントを提供し得る。そのようなシステムは、中央コントロ−ラから、部屋、建物、または他のエリアにわたって広範囲に分散され得る、複数の光源に、電力バスを配電し得る。
【０００４】
電力の配電に加え、中央コントロ−ラは、単一の容易にアクセス可能な場所から、光源のうちの１つ以上の明度、色、または他のそのような性質を変化させ得る。温度等のステ−タス情報が、光源から中央コントロ−ラに送信され、中央コントロ−ラは、情報に応答して、光源の性質を自動的に調節し得るか、または情報をユ−ザに提示し得る。光に対するコマンドおよび光から読み取られる情報は、中央コントロ−ラと光源との間の電力バスに加え、１つ以上のル−ティングされたバスを使用して、送信および受信され得る。しかしながら、バスが多いほど、より多くのコストがシステムに追加され、システムを設置することおよび維持することがより困難となることを意味し得る。
【０００５】
いくつかのシステムでは、電力バスは、低周波数電力信号に加えて、高周波数通信信号をピギ−バッキングすることによって、コマンドバスとしても使用される。しかしながら、これらのシステムは、雑音および／または伝送問題を被りやすく、照明ユニットに送信されるコマンドを誤解釈または逸失させ、照明ユニットから受信されるデ−タを破損させる。さらに、中央コントロ−ラに接続された複数のユニット間から１つの照明ユニットを識別することは、困難または不可能であり、単一照明ユニットの個々の制御を妨害し得る。本困難性は、照明ユニットの数が、製造または搭載時、未知である（例えば、照明ユニットのその搭載された寿命の間、システムに追加またはそこから除去され得る）場合、中央コントロ−ラが、追加または除去を識別不可能であるので、システム内で複雑となり、さらなる通信問題を生じさせ得る。
【０００６】
したがって、単一の組み合わせられた電力およびコマンドバスを経由して、任意の数の照明ユニットと確実かつ動的に通信可能な中央コントロ−ラを特徴とする、照明システムの必要性が存在する。
【発明の概要】
【課題を解決するための手段】
【０００７】
本明細書に説明されるシステムおよび方法の種々の側面は、中央コントロ−ラおよびそれに対して遠隔に位置する複数の光源を有する、照明システムを含む。中央コントロ−ラおよび光源の各々は、共通電力バスを共有する。中央コントロ−ラは、電力供給部出力を高インピ−ダンス状態にし、それによって、電力バス電圧の操作を可能にすることによって、メッセ−ジを光源に送信し、発信通信に従って、電力バス電圧を変動させる。光源は、変動、ひいては、その中にエンコ−ドされた通信を受信する。光源は、各々、中央コントロ−ラが、各光源を個々にアドレス指定し得るように、一意の識別子またはアドレスを有し得る。２つの光源が、同一アドレスを共有する場合、中央コントロ−ラは、共有を検出し、コマンドを検出されたアドレスに送信し、光源に新アドレスを選択させ得る。
【０００８】
一側面では、電力供給部によって給電される電力バスに接続されている複数のエンティティ間の通信方法は、電力バスと電力供給部との間の接続を低インピ−ダンス状態から高インピ−ダンス状態に切り替えることを含む。電圧は、電力バスに接続された第１のエンティティにおいて、発信通信に従って、電力バス上で修正される。修正された電圧は、検出され、通信が、それによって、電力バスに接続された第２のエンティティにおいて受信される。
【０００９】
第１のエンティティは、中央制御ユニットを含み、第２のエンティティは、光源を含み得る。発信通信は、光源の特性を修正するためのコマンドを含み得る。修正された電圧は、共通電力バスに接続されている追加の光源において、検出され得、通信は、光源または追加の光源を一意的にアドレス指定し得る。代替として、第１のエンティティは、光源を含み、第２のエンティティは、中央制御ユニットを含み得る。この場合、発信通信は、光源のステ−タスを含み得る。
【００１０】
電圧を修正することは、負のパルスを電力バスに印加することを含み得る。負のパルスは、電力供給部の電圧の約半分の電圧を有し得る。電力バスと電力供給部との間の接続は、修正された電圧が検出された後、高インピ−ダンス状態から低インピ−ダンス状態に切り替えられ得る。通信信号を送信することは、ウェイクアップ信号を送信することおよび／またはエンティティ識別信号を送信することを含み、通信信号は、エンコ−ドされ得る。通信信号を受信することは、共通電力バス上の負のパルスを検出すること、および／またはメッセ−ジング負荷を共通電力バスにかけ、その後、電力供給部のソ−スインピ−ダンスをストロ−ブすることを含み得る。エンティティは、光源を含み、十分に一定の電圧が、光源において維持され、立ち下がりパルスの間、ヒトの眼に検出可能な放出された光の劣化を回避し得る。
【００１１】
別の側面では、電力バスを介して電力供給部によって給電される複数のエンティティ間の通信のためのシステムは、低電力供給部出力インピ−ダンスと高電力供給部出力インピ−ダンスとの間で選択するためのインピ−ダンス切替回路を含む。中央コントロ−ラは、インピ−ダンス切替回路を使用して、高電力供給部出力インピ−ダンスを選択し、その後、電力バスを経由して、コマンドを送信する。光源は、電力バスを経由して、中央コントロ−ラから、コマンドを受信し、電力バスを経由して、それに応答を送信する。
【００１２】
中央コントロ−ラは、負のパルスを共通電力バスに印加するためのメッセ−ジング負荷インピ−ダンス、および／または共通電力バス上の負のパルスを検出するためのコンパレ−タを含み得る。光源は、負のパルスを共通電力バスに印加するためのメッセ−ジング負荷インピ−ダンス、および／または高電力供給部出力インピ−ダンスが選択されている場合に電力を光源に供給するためのフィルタキャパシタを含み得る。インピ−ダンス切替回路は、電力ＦＥＴ、シリコン制御整流器、および／またはサイリスタを含み得る。電力バスは、ＡＣまたはＤＣバスであり得る。
【００１３】
別の側面では、電力バスを介して電力供給部によって給電される光源は、電力バスに接続されている中央コントロ−ラと通信する。光源は、光を放出するためのＬＥＤ光と、中央コントロ−ラによって開始される、電力バス上の電圧変化を検出するための入力回路とを含む。プロセッサは、電圧変化をコマンドとして解釈する。出力回路は、コマンドに応答して、電力バス上の電圧を修正し、それによって、通信を中央コントロ−ラに送信する。キャパシタは、通信の間、電力をＬＥＤ光に提供するために使用され得る。
【００１４】
別の側面では、一意の識別子を電力バスに接続された複数のエンティティに割り当てる方法は、クエリメッセ−ジを、電力バスを経由して、複数のエンティティによって使用される、アドレス空間内の少なくとも１つのアドレスに伝送することを含む。電力バスは、少なくとも１つのクエリされたアドレスに対して、１つ以上のエンティティからの応答のために、監視される。応答通信に基づいて、方法は、複数のエンティティが、同一アドレスを共有するかどうかを検出し、任意の検出された複数のエンティティに、一意のアドレスをとらせる。
【００１５】
検出された複数のエンティティに、一意のアドレスをとらせることは、アドレス再割当メッセ−ジを各検出された複数のエンティティに伝送することを含み得る。クエリメッセ−ジは、アドレス空間内の各アドレスに伝送され得、電力バスは、アドレス空間内のアドレス毎に監視され得る。新アドレスは、検出された複数のエンティティにおいて生成され得、新アドレスは、乱数および／または検出された複数のエンティティに伝送される利用可能なアドレス範囲に基づき得る。新アドレスは、旧アドレスと置換され得、または旧アドレスの拡張子であり得る。利用可能な単一占有および複数占有アドレスのテ−ブルが、応答通信に基づいて、作成され得る。複数のエンティティが、同一アドレスを共有するかどうかを検出することは、応答通信の間、立ち下がりパルスの振幅を検証することを含み得る。メッセ−ジおよび応答は、電力バス上の立ち下がりパルスのシ−ケンス内で伝送され得る。複数のエンティティが、同一アドレスを有するかどうかを検出することは、同一アドレスを有する複数のエンティティの各々に、該エンティティが、時間的に、別個に応答するように、乱数生成によって決定された遅延後、応答させることを含み得る。
【００１６】
別の側面では、一意の識別子を電力バスに接続された複数のエンティティに割り当てるためのシステムは、（ｉ）クエリメッセ−ジを、電力バスを経由して、アドレス空間内の各アドレスに伝送し、（ｉｉ）単一アドレスに割り当てられる複数のエンティティを示す応答を検出し、（ｉｉｉ）アドレス再割当メッセ−ジを複数のエンティティの各々に伝送するための中央コントロ−ラを含む。複数のエンティティの各々は、アドレス再割当メッセ−ジに応答して、新アドレスを生成するための乱数発生器、および／またはそのアドレスを記憶するための読取／書込メモリを含み得る。中央コントロ−ラは、各アドレスに対して検出された応答に関連するデ−タを記憶するための読取／書込メモリを含み得る。
【００１７】
これらおよび他の目的は、本明細書に開示される本発明の利点および特徴とともに、以下の説明、付随の図面、および請求項の参照を通して、より明白となるであろう。さらに、本明細書に説明される種々の実施形態の特徴は、相互に排他的ではなく、種々の組み合わせおよび順列において存在することができることを理解されたい。
【００１８】
図面中、同一参照文字は、概して、異なる図を通して、同一部品を指す。以下の説明では、本発明の種々の実施形態は、以下の図面を参照して説明される。
【図面の簡単な説明】
【００１９】
【図１】図１は、本発明のある実施形態による、中央コントロ−ラおよび光源のブロック図である。
【図２Ａ】図２Ａおよび２Ｂは、本発明の実施形態による、通信ポ−トの概略ブロック図である。
【図２Ｂ】図２Ａおよび２Ｂは、本発明の実施形態による、通信ポ−トの概略ブロック図である。
【図３】図３および４は、本発明の実施形態による、ＡＣ電力バスとのインタ−フェ−スの概略ブロック図である。
【図４】図３および４は、本発明の実施形態による、ＡＣ電力バスとのインタ−フェ−スの概略ブロック図である。
【図５】図５および６は、本発明の実施形態による、ＤＣ電力バスとのインタ−フェ−スの概略ブロック図である。
【図６】図５および６は、本発明の実施形態による、ＤＣ電力バスとのインタ−フェ−スの概略ブロック図である。
【図７】図７は、本発明のある実施形態による、共有電力バス上のエンティティ間で通信するための方法の流れ図である。
【図８】図８は、本発明のある実施形態による、初期に同一アドレスが割り当てられたエンティティに対して、アドレスを検出および再割当するための方法の流れ図である。
【発明を実施するための形態】
【００２０】
図１は、本発明の実施形態に従って実装される、照明システム１００のブロック図である。ＡＣ源１０２（例えば、家庭用壁コンセントまたは他の好適な電力供給部）は、入力電力を光源１０６に給電するための好適な形態に変圧する、電力コンバ−タ１０４に電力を提供する。１つのみの光源１０６が示されるが、システムは、電力コンバ−タ１０４の最大電力出力によってサポ−トされる最大数までの複数の光源１０６をサポ−ト可能である。変換された電力は、特定の用途の要件に従って、ＡＣまたはＤＣ電力であり得、電力バス１０８によって配電される。中央コントロ−ラ１１０は、電力バス１０８を使用して、１つ以上の光源１０６と通信する。中央コントロ−ラ１１０は、別個の供給リンク１１２、電力バス１０８、または任意の他の手段によって、給電され得る。通信ポ−ト１１４、１１６は、それぞれ、中央コントロ−ラ１１０および光源１０６によって使用され、電力バス１０８とインタ−フェ−スをとり得る。電力コンバ−タ１０４と電力バス１０８との間に直列に配置される、スイッチ１１８は、例えば、中央コントロ−ラ１１０によって決定されるように、低インピ−ダンスまたは高インピ−ダンス状態のいずれかに構成され得る。以下により詳細に説明されるように、スイッチ１１８は、一時的に、高インピ−ダンス状態に置かれ、電力バス１０８を使用して、中央コントロ−ラ１１０と光源１０６との間の通信を可能にし得る。光源１０６は、追加の光源１０６が、電力バス１０８に接続される場合でも、中央コントロ−ラ１１０が、それぞれ、コマンドまたはデ−タの唯一の受信者または源としてそれを指定することを可能にする一意のアドレスを有し得る。
【００２１】
任意の電圧または周波数が、電力コンバ−タ１０４によって使用され、電力バス１０８を介して、電力を光源１０６に供給し得、本発明は、任意の特定の電圧または周波数に限定されない。電力バス１０８のための例示的電圧として、１２および２４Ｖが挙げられ、例示的周波数として、０、５０、６０、または４００Ｈｚが挙げられる。一実施形態では、電力バス１０８は、低電圧バスであって、それによって、電力を光源１０６に配電する際の安全性を向上させる。電力コンバ−タ１０４は、電圧調整器（または、類似回路）を含み、それによって、確実な供給レベルを可変数の光源１０６（例えば、１から５、１０、２０個、またはそれ以上の光源１０６）に提供し得る。
【００２２】
一実施形態では、電力バス１０８を経由する通信は、中央コントロ−ラ１１０によって開始される。スイッチ１１８は、中央コントロ−ラ１１０によって、低インピ−ダンス（または、「電力モ−ド」）から高インピ−ダンス（または、「メッセ−ジングモ−ド」）状態に切り替えられ、通信を開始し得る。中央コントロ−ラは、デジタルプロセッサ（例えば、ＡＳＩＣ、デジタル信号プロセッサ、マイクロコントロ−ラ、マイクロプロセッサ、または他の類似デバイス）、および／またはシステム１１２内の構成要素の残りとインタ−フェ−スをとるためのアナログ回路を含み得る。入力／出力インタ−フェ−スは、ユ−ザからコマンドを受信するため、および／またはそこに情報を送信するために使用され得る（例えば、ＵＳＢ、Ｅｔｈｅｒｎｅｔ（登録商標）、無線、または他の類似ポ−とを介して）。中央コントロ−ラ１１０は、コマンドを介して、光源１０６をオンおよびオフにするため、および／または光源１０６の調光レベルを設定するために使用され得る。中央コントロ−ラ１１０からの他のコマンドは、照明システムを構成するため、光を較正するため、および／または熱管理のためにＬＥＤ接合部温度を測定するために使用され得る。中央コントロ−ラ１１０は、従来の内蔵自己試験、分析、および、例えば、光源１０６内の過温度状態を検出し、それに応じて、光源の明度を自動的に低下させる構成回路またはアルゴリズムを含み得る。
【００２３】
以下に詳述されるように、種々のアドレス指定方式が、中央コントロ−ラと光源１０６との間の双方向通信のために使用され得る。一実施形態では、中央コントロ−ラ１１０は、光源１０６と通信し、そこからの応答を要求する。中央コントロ−ラ１１０は、次いで、通信応答ウィンドウを配分し、その間、中央コントロ−ラ１１０は、電力バス１０８に対してアイドル状態であって、光源１０６に、電力バス１０８の制御を可能にする（すなわち、光源１０６は、電力バス１０８へのアクセスが可能となり、電力バス１０８の電圧を変動させ得る）。
【００２４】
光源１０６は、電力バス１０８に接続される、マイクロプロセッサ、ＬＥＤ、ＬＥＤドライバ、および／または通信ポ−ト１１６を含むモジュ−ルであり得る。電力コンバ−タ１０４から中央コントロ−ラ１１０に供給される電力は、中央コントロ−ラ１１０への電力リンク１１２を維持しながら、電力バス１０８をオフに切り替えることを可能にするために、電力バス（例えば、リンク１１２を介して）から分離され得る。マイクロプロセッサは、光源１０６においてＬＥＤ電流を調整し、かつ、電力バス１０８を介して中央コントロ−ラ１１０と通信し得る。光源１０６はさらに、バス１０８が、メッセ−ジモ−ドにある時、負荷を電力バス１０８から分断するために、整流器および／またはキャパシタによって、電力バス１０８に接続されるＤＣ負荷を含み得る。光源１０６は、利用可能なバス電圧および要求される光電圧に応じて、その中のＬＥＤのための降圧、昇圧、または組み合わせ降圧／昇圧ドライバ回路を使用し得る。しかしながら、本発明は、ＬＥＤを給電する任意の特定の方法に限定されず、当技術分野において公知の任意のシステムまたは方法も、本発明の範囲内である。システム１００内の光源１０６の数は、少なくとも部分的に、電力バス１０８内の総電流を決定する。バス導体サイズは、適宜、選択され、容認可能な配電電圧降下を提供する。
【００２５】
本発明の実施形態による、照明システムの一実装２００は、図２Ａに例証される。ＡＣ源２０２、電力コンバ−タ２０４、中央コントロ−ラ２０６、通信ポ−ト回路、および光源２０８が、図１を参照して前述のように、システム２００内に配置される。スイッチ１１８は、源負荷２１０および電界効果トランジスタ（「ＦＥＴ」）２１２を使用して実装され、そのゲ−ト端子は、中央コントロ−ラ２０６によって制御される。チャネルが、そのソ−スとドレインとの間のＦＥＴ内に形成されるように、適切な電圧が、ＦＥＴ２１２のゲ−トに印加されると、電力は、ＦＥＴ２１２のチャネルによって提供される低インピ−ダンス経路を介して、電力コンバ−タ２０４から電力バス２１４に流動する。ＦＥＴ２１２が、高インピ−ダンス状態に遷移するように、ＦＥＴ２１２のゲ−ト電圧が調節されると、源負荷２１０は、部分的に、電力コンバ−タ２０４を電力バス２１４から絶縁し、本明細書に説明される通信システムに従って、電力バス２１４上の電圧の調節を可能にする。任意のタイプの電圧または電流制御切替デバイスが、使用され得るが、しかしながら、本発明は、ＦＥＴ２１２に基づくスイッチのみに限定されない。図２Ｂは、例えば、汎用スイッチ２５２を使用する、実施形態２５０を例証する。電力は、中央コントロ−ラ２０６への電力が、ＦＥＴ２１２をオフにすることによって遮断されないように、源負荷２１０の電力コンバ−タ側のリンク２１６を介して、中央コントロ−ラ２０６に供給され得る。
【００２６】
一実施形態では、中央コントロ−ラ２０６と光源２０８との間の通信は、短時間、電力バス２１４上の電圧を引き下げること（例えば、通常ＤＣ電力電圧の約半分まで）、すなわち、負のパルスを電力バス２１４上にかけることによって遂行される。コントロ−ラ２０６は、第２のＦＥＴ２１８を起動し、バス２１４のラインにわたる通信負荷２２０のスイッチを入れることによって、負のパルスを電力バス２１４に印加し得る。光源２０８上の入力ポ−ト２２２は、負のパルスを検出する。光源２０８は、同様に、ＦＥＴ２２４および通信負荷２２６を使用して、電力バス２１４上の負のパルスをアサ−トし得、中央コントロ−ラ２０６は、入力ポ−ト２２８において、パルスを検出し得る。
【００２７】
電力バス２１４が、メッセ−ジモ−ドにある（すなわち、ＦＥＴ２１２が、オフに切り替えられ、電力コンバ−タが、源負荷２１０によって、電力バス２１４から分離される）時、光源２０８によって出力される光は、電力バス２１４上の変動によって影響を受け得る。キャパシタ２３０は、通信パルス中、光源２０８に適切なＬＥＤ駆動電圧を維持するための電荷を貯蔵するために使用され得る。ダイオ−ド２３２は、キャパシタ２３０を電力バス２１４上のより低い電圧から絶縁し、電荷がそこに流用され、メッセ−ジ伝送に影響を及ぼさないように防止するために使用され得る。
【００２８】
電力バス２１４上の信号伝達パルスは、約１０μｓｅｃの持続時間を有する、短時間の負のパルスであり得、その間、光源２０８は、キャパシタ２３０によって給電される。パルスは、幅および間隔の観点から変動され得るか、またはパルス間に一貫した間隔を有する、単一幅であり得る。以下により詳細に説明されるように、光源２０８は、その幅、間隔、有無、または他の属性においてエンコ−ドされた情報に対して着信パルスを監視し、受信したパルスに基づいて、コマンドを解釈する。
【００２９】
一実施形態では、通信負荷２２０、２２６は、電力コンバ−タ２０４の出力インピ−ダンスに相当し（すなわち、電力コンバ−タ２０４の小内部抵抗および抵抗器２１０の比較的に大きな抵抗）、それによって、電力コンバ−タ２０４によって出力されたＤＣ電力電圧の半分の振幅を有する負のパルスを生成する。一実施形態では、中央コントロ−ラ２０６および光源２０８は、バス通信電圧の高と低振幅との間に適切な閾値を有するコンパレ−タを使用して、電力バス２１４から、入力ポ−ト２２８、２２２を介して、デ−タを受信する。より低い振幅通信パルスは、電磁適合性のために望ましくあり得、通信負荷２２０、２２６に、源負荷２１０より高い抵抗器値を提供することによって実装され得る。
【００３０】
図３は、電力コンバ−タ３０２と、中央コントロ−ラ３０４と、この場合、ＡＣ電力バス３０６を経由して通信するためのメッセ−ジイニシエ−タとして構成される、関連付けられた通信ポ−ト回路との別の実施形態３００を例証する。メッセ−ジは、バスに、メッセ−ジング負荷３０８をかけ、電力コンバ−タソ−スインピ−ダンス３１０を低から高インピ−ダンスに切り替え、それによって、バス３０６を電力モードからメッセ−ジングモ−ドに切り替えることによって、電力バス３０６上に置かれ得る。メッセ−ジング負荷インピ−ダンス３０８およびソ−スインピ−ダンス３１０は、整合され得（すなわち、等しい）、それぞれ、約２００オ−ムの値を有し得る。したがって、負荷３０８、３１０が両方とも、有効になると、バス電圧は、その公称電力モ−ド電圧の約半分まで減少される。メッセ−ジング負荷３１０のみが存在する状態において、バス電圧は、メッセ−ジング負荷３０８が導入されるまで、公称電圧のままである。
【００３１】
中央コントロ−ラ３０４は、短時間間隔の間、ＦＥＴ３１２のゲ−ト電圧を操作し、信号伝達パルスを電力バス３０６上に生成することによって、源負荷３１０をメッセ−ジング負荷３０８に切り替え、またはストロ−ブする。バス３０６を電力モ−ドに置くために、中央コントロ−ラ３０４は、ゲ−ト起動電圧を電力コンバ−タ３０２の出力において源負荷３１０をバイパスする２つの電力ＦＥＴ３１２に提供するバスデ−タストロ−ブ信号３１４を低に保持する。２つの源負荷３１０がＡＣ供給部のために提供されるが、メッセ−ジングパルス導入時の電力供給部電圧の極性に応じて、１度に１つのみが、メッセ−ジングのために挿入される。デ−タバスストロ−ブ信号３１４が、低である場合、供給部３０２の正側のＦＥＴ３１２は、負の供給部側におけるダイオ−ド３１６と同様に、導通する。メッセ−ジパルスが導入されると、デ−タバスストロ−ブ信号３１４は、高にアサ−トされ、それによって、高側電力ＦＥＴ３１２をオフにし、源負荷３１０を挿入する。メッセ−ジング負荷３０８が、ストロ−ブ信号アサ−ト時に存在する場合、バス電圧は、メッセ−ジングモ−ド直前に、バス電圧の半分まで降下する。
【００３２】
システム３００は、例えば、電力バス３０６に接続された光源から、通信パルスを受信するようにも構成され得る。この場合、中央コントロ−ラ３０４は、前述のように、バスデ−タストロ−ブ信号３１４を低に保持するが、メッセ−ジング負荷３０８をアサ−トしない。電力バス電圧は、バス電圧を基準値（例えば、抵抗分割回路３２０によって生成される）と比較する、コンパレ−タ３１８の入力に印加される。抵抗分割回路３２０内のレジスタのインピ−ダンス比、およびそれによって生成される基準値は、源およびメッセ−ジング負荷３１０、３０８のインピ−ダンスの比によって決定され得る。光源が、負のパルスを電力バス３０６上にかけると、バス３０６上の電圧は、基準電圧を下回り、コンパレ−タ３１８は、コマンド信号を中央コントロ−ラ３０４に送信することによって、この変化を登録する。電圧レベルを検出する、当技術分野において公知の任意の方法を使用して、電力バス３０６上のパルスの存在を検出し得るが、しかしながら、本発明は、コンパレ−タの使用に限定されない。一実施形態では、電力バス３０６上の異なる電圧レベルは、バイナリ情報の異なるビットに対応する。
【００３３】
デジタル論理を含み得る、中央コントロ−ラ３０４は、ロ−カルＤＣ電力バス３２２によって給電され得る。ロ−カルバス３２２上のＤＣ電圧は、例えば、ダイオ−ド整流器３２４およびフィルタキャパシタ３２６を使用して、電力コンバ−タのＡＣ出力から生成され得る。ロ−カルバス３２２は、電力を抵抗分割回路３２０に供給するために、あるいはＤＣ電力を要求する、任意の他の構成要素またはシステムのためにも使用され得る。
【００３４】
他の実施形態では、電力ＦＥＴ３１２以外のデバイスが、電力モ−ドとメッセ−ジングモ−ドとの間でバス３０６を切り替えるために使用される。そのようなデバイスの一実施例は、ゼロ伝導電流に到達する前に、ゲ−ト信号によってオフにされ得る、ゲ−ト起動サイリスタである。別のデバイスは、高周波数ＡＣ供給を使用して動作される、シリコン制御整流器または標準的サイリスタである。高ＡＣ供給周波数、例えば、１００ＫＨｚでは、バス３０６は、第１のＡＣ半サイクルの持続時間の間、通信モ−ドに切り替えられ、次のＡＣ半サイクルにおいて、電力モ−ドに戻され得る。そのような切替方法を使用して、単一メッセ−ジング負荷抵抗器が、使用され得る。しかしながら、本発明は、バス切替回路の任意の特定の実装に限定されず、任意の均等物回路も、本発明の範囲内である。
【００３５】
電力バス３０６上の公称電圧は、メッセ−ジ信号振幅を決定し得る。一実施形態では、ＡＣ電力バスの場合、メッセ−ジングパルスは、バス電圧が、最小値を上回る時のみ、バス３０６上にかけられる。中央コントロ−ラ３０４は、バス電圧を監視し、バス最小電圧が、メッセ−ジシ−ケンスを開始する前に、超えていることを保証し得る。
【００３６】
図４は、ＡＣ電力バス３０６を経由して通信するために構成される、光源４０２と関連付けられた通信回路との実施形態４００を例証する。中央コントロ−ラ３０４同様に、光源４０２は、ＦＥＴ４０４をアサ−トすることによって、電力バス３０６にパルスをかけ、それによって、メッセ−ジ負荷４０６を通して、電力バス３０６上の電圧を引き下げる。光源は、電力バス電圧を抵抗分割器４１０によって生成される基準電圧と比較する、コンパレ−タ４０８によって、電力バス３０４上の電圧を監視することによって、着信パルスを受信し得る。
【００３７】
バス３０６が、中央コントロ−ラ３０４によって、メッセ−ジングモ−ドに置かれると（例えば、バスデ−タ信号３１４をストロ−ブすることによって）、電力コンバ−タ３０２は、もはや光源４０２のための電流を提供しない。代わりに、電力は、１つ以上のフィルタキャパシタ４１２によって提供される。メッセ−ジングモ−ドでは、バス電圧は、光源４０２およびフィルタキャパシタ４１２をバス３０６に接続する整流器４１４が、順方向にバイアスがかけられた接合電圧が減少されるにつれて、導通を停止するまで、降下する。バス電圧は、アサ−トされる場合、受信機コンパレ−タ入力回路４１０およびメッセ−ジング負荷４０６によって提示される負荷のため、さらに降下する。コンパレ−タ入力抵抗器４１６は、メッセ−ジング負荷４０６の約１０００倍のサイズを有し、複数の負荷（すなわち、複数の光源４０２）が存在する場合、バス３０６に有意に負荷をかけることなく、低バス電圧が、コンパレ−タ４０８にかけられることを保証する。抵抗器４１６は、バス３０６および受信機入力回路４１０上の寄生静電容量を放電し、メッセ−ジングバス電圧が、コンパレ−タ４０８に提示されることを保証する。
【００３８】
一実施形態では、応答機メッセ−ジングパルスが、中央コントロ−ラ３０４および光源４０２の両方の作用によって、電力バス３０６にかけられる。中央コントロ−ラ３０４は、光源４０２が、メッセ−ジング負荷４０６をバス３０６にかけ（または、かけず）、応答機メッセ−ジパルスを生成している（または、パルスの欠如）間、ソ−スメッセ−ジングインピ−ダンス３１４をストロ−ブする。光源４０２は、ストロ−ブが生じる前に、メッセ−ジ負荷４０６をバスにかけ得る。光源４０２は、イニシエ−タフレ−ムに同期された通信クロックによって、ストロ−ブが生じるときを検出し得る。
【００３９】
図５および６は、それぞれ、ＤＣ電力バス実装のための中央コントロ−ラ５００および光源６００回路を例証する。ＤＣバス５０２のための中央コントロ−ラ５００の修正は、１つの電力コンバ−タメッセ−ジングソ−スインピ−ダンス、１つのバイパス電力ＦＥＴ、ならびにメッセ−ジングイニシエ−タおよびその受信機コンパレ−タのための全波整流器を除去する。図６の光源の場合、負荷のための全波整流器は、単一ダイオ−ド６０２によって置換され、受信機コンパレ−タ６０４は、直接、正のバス導体５０２に接続される。コンパレ−タ入力抵抗器は、排除され得る。
【００４０】
前述の実装に従って、本発明の実施形態を使用する方法は、図７における流れ図７００に現れる。また、図２Ａを参照すると、第１のステップ７０２では、電力バス２１４と電圧源２０４との間の接続は、低インピ−ダンス状態から高インピ−ダンス状態に切り替えられる（例えば、ＦＥＴ２１２を使用して）。第２のステップ７０４では、電力バス２１４上の電圧は、発信通信に従って、電力バスに接続された第１のエンティティにおいて修正される。例えば、中央コントロ−ラ２０６は、ＦＥＴ２１８および抵抗器２２０を使用して、電力バス２１４上の電圧を引き下げ得る。別の実施形態では、光ユニット２０８は、ＦＥＴ２２４および抵抗器２２６によって、電力バスを引き下げることによって、通信を送信する。第３のステップ７０６では、修正された電圧は、入力ポ−ト２２８、２２２）を使用して、電力バスに接続された第２のエンティティで検出され（例えば、中央コントロ−ラ２０６または光ユニット２０８）、それによって、第２のエンティティにおいて通信を受信する。
【００４１】
多くの場合におけるように、複数の光源が、システム内に存在する時、中央コントロ−ラは、光源のうちの１つを一意的に識別し、存在する光源の数を決定し、または着信デ−タを送信している光源を識別する必要があり得る。各照明ユニットは、したがって、一意の識別子が割り当てられ得る。光源が、電力バス上において、その識別子に対応するパルスのシ−ケンスを検出すると、選択された照明ユニットは、例えば、ロ−カルエリアネットワ−ク上のＭＡＣアドレスに応答する、ネットワ−クノ−ドの様式において、それに応じて、「ウェイクアップ」し得る。
【００４２】
一実施形態では、複数の光ユニットは、各々、一意のアドレスを具備し、中央コントロ−ラが、特定の光源をメッセ−ジの受信者として選択することを可能にする。完全メッセ−ジは、イニシエ−タフレ−ムに続いて、応答機フレ−ムを含み得る。イニシエ−タフレ−ムは、ウェイクアップ、アドレス、コマンドおよびデ−タフィ−ルド等の複数（例えば、４つ）のフィ−ルドを含み得る。応答機フレ−ムは、プリアンブルフィ−ルドおよびデ−タフィ−ルドを含み得る。応答フレ−ムは、イニシエ−タによって、アドレスマップクエリのために使用される、特殊フィ−ルドであり得る。本実施形態では、応答フィ−ルドは、単一長持続時間パルスまたは単一短持続時間パルスであり得る。
【００４３】
通信フレ−ムのウェイクアップフィ−ルドは、メッセ−ジの開始を識別し、デ−タクロックに同期を提供する、パルスのシ−ケンスを含む。メッセ−ジの残りは、当技術分野において公知のように、受信機におけるクロック回復および／または検出を補助し得る、メッセ−ジ内のデ−タの自己クロッキングを維持するようにエンコ−ドされ得る。本発明の実施形態は、限定されないが、非ゼロ復帰（「ＮＲＺ」）またはＭａｎｃｈｅｓｔｅｒ伝送プロトコルを使用し得る。イニシエ−タフレ−ムに続いて、応答機フレ−ムが、デ−タバス上に伝送される。応答機によって送信される応答機フレ−ムは、さらに、応答機がバス上のメッセ−ジング負荷を制御する間、バスデ−タストロ−ブを提供し、バス上へのデ−タをクロックするイニシエ−タによって補助され得る。ストロ−ブクロックは、応答機がバス上への通信インピ−ダンスを切り替え、予期されるデ−タパルスに対して、バスを監視する間、公称周波数で継続する。
【００４４】
前述のように、通信を確立し、照明ユニットの熱管理を提供するために、中央コントロ−ラは、各照明ユニットを一意的に識別およびアドレス指定し得る。照明システムが、最初に搭載される時、または照明ユニットが、システムに追加される時、いくつかの照明ユニットは、同一通信アドレスを有する可能性がある。本状態を検出し、アドレスを再割当する種々のアプロ−チは、後述される。
【００４５】
照明ユニットは、典型的には、アドレス情報を記憶するために、不揮発性メモリレジスタ（例えば、電気的に消去可能プログラマブル読取専用メモリ、またはＥＥＰＲＯＭ）を有する。不揮発性メモリが、提供されない場合、中央コントロ−ラは、各電力オンサイクル後、照明ユニットを再構成し得る。不揮発性メモリは、光源使用履歴およびその環境の監視を可能にし、監視は、システム信頼性向上のための失敗予測を可能にする。アドレス構成中、照明ユニットは、構成が完了するまで、公称光出力設定によってオンにされ得る。本作用は、例えば、照明をオンにするためのグロ−バルコマンドを使用して、遂行され得る。
【００４６】
一実施形態では、８ビットアドレスレジスタが、使用される。本レジスタは、最大２５５個の一意の照明ユニット、随意に、予備アドレスをサポ−トし得る。任意のサイズのレジスタを使用して、任意の数の照明をサポ−トし得るが、本発明は、任意の特定のレジスタサイズに限定されない。
【００４７】
照明システムのための通信プロトコルは、中央コントロ−ラが、ウェイクアップ信号として、電力バス上に所定の組のパルスを送信することによって、通信間隔を開始することを伴い得る。ウェイクアップ信号完了後、標的アドレス、コマンドコ−ド、および／または随意のデ−タフィ−ルドは、バスを経由して、中央コントロ−ラによって送信され得、コマンドコ−ドおよび／またはデ−タフィ−ルドは、標的アドレスを有する照明ユニットによって、認識される。送信時間間隔（例えば、ウェイクアップ、アドレス、コマンド、およびデ−タフィ−ルドを可能にするため）に続いて、アドレス指定された照明ユニットは、応答時間間隔の間、中央コントロ−ラによって受信される、応答コ−ドおよび随意のデ−タに対応するパルスシ−ケンスを電力バスにかけることによって応答し得る。本シ−ケンス（送信時間間隔および応答時間間隔）は、１つの通信間隔を完了する。全照明ユニットへのグロ−バルコマンドは、標的アドレスの代わりに、予備アドレスを送信することによって、識別され得る。
【００４８】
一実施形態では、各照明ユニットに対して、一意のアドレスを構成するために、アドレス占有マップが、システム内の照明ユニットのために作成される。アドレス占有マップは、中央コントロ−ラの不揮発性メモリ内に記憶される、テ−ブルまたはデ−タベ−スとして配列され、利用可能なアドレスを、非占有、単一占有、または複数占有照明ユニットアドレスのステ−タスとともに、リスト化し得る。本テ−ブルを取り込むために、クエリコマンドが、電力バスを経由して、２５５個の利用可能なアドレスのそれぞれに送信され、応答パルスを要求する。本コマンドの場合、応答パルスの持続時間は、同一アドレスを伴う複数の照明ユニットが、同時に、電力バスに負荷をかけ得るように、十分に長い。中央コントロ−ラは、応答の間、負のパルスの振幅を検証することによって、ゼロ、１つ、または複数の照明ユニットが、送信されたアドレスを占有するかどうか識別することができる。クエリされたアドレスにおいて、照明ユニットが存在しないことは、無応答によって示される。アドレスにおいて、１つの照明が存在することは、公称パルス振幅によって示され、複数の照明ユニットは、公称を上回る（絶対電圧より低い）パルスによって示される。中央コントロ−ラは、全２５５個のアドレスを走査し、アドレス占有マップを構築する。複数占有アドレスが、後述のように、非占有アドレスの中で再割当される。
【００４９】
別の実施形態では、ランダム時間遅延が、時間的に応答を分離するために、アドレスクエリコマンドに対する応答のために使用され得る。本実施形態では、クエリされたアドレスにおける各照明ユニットは、照明ユニット内の乱数発生器によって決定される、ランダム時間遅延後、応答し、中央コントロ−ラは、各クエリされたアドレスに対する応答数をカウントする。乱数発生器は、その出力を、十分な雑音を含む任意の利用可能なデジタルまたはアナログ信号に基づかせ得る。実施例として、ＬＥＤ電流感知電圧または他の電圧、閉ル−プ電流調整器内のコマンドされたＬＥＤ電流、あるいは雑音を含む任意の他のデジタルまたはアナログ信号を測定するためのアナログ／デジタルコンバ−タが挙げられる。雑音に依存する最小有効ビットが、乱数を提供するように選択される。ランダム時間遅延は、乱数によってプリセットされた時間間隔カウンタによって提供される。ランダム時間遅延後、照明ユニットは、他の照明ユニットが、現在、応答していない場合、パルスを電力バスに印加することによって応答する。電力バスの電流状態によって決定されるように、別の照明ユニットの応答が、進行中である場合、照明ユニットはさらに、その応答を遅延させ、それによって、同時応答が生じないことを確実にする。応答の不在は、クエリされたアドレスが、割り当てられていないことを示す。アドレスにおいて、１つの照明ユニットが存在することは、１つの応答によって示され、複数の照明ユニットは、２つ以上の応答によって示される。中央コントロ−ラは、クエリされたアドレスに対して、本情報を記憶し、全２５５個のアドレスを走査し、テ−ブルを完成する。
【００５０】
一実施形態では、複数の照明ユニットが、あるアドレスを占有する場合、中央コントロ−ラは、アドレス再割当コマンドを、デ−タフィ−ルド内の利用可能な非占有アドレスとともに、１つのアドレスを共有する照明ユニットに送信することによって、アドレスを再割当する。本コマンドの受信に応じて、照明ユニットは、新アドレスをとるか、オリジナルアドレスを留保するかをランダムに決定する。本決定は、各照明ユニット内の乱数発生器に基づき得る。乱数は、前述のように生成され得る。デ−タワ−ドの最小有効ビットは、照明ユニットに対して、新アドレスを割り当てるかどうかを決定するために選択される。照明ユニットが、本ランダムプロセスにおいて、２つのアドレスのうちの１つを独立してとる場合、中央コントロ−ラは、次いで、２つのアドレスを走査し、オリジナルアドレス走査の非占有アドレス、単一アドレス、および複数占有アドレスの記憶されたテ−ブルを更新し得る。アドレス再割当シ−ケンスは、全照明ユニットに、一意のアドレスが割り当てられるまで、反復される。代替として、照明ユニットによってランダムに選択されるアドレスの数は、乱数におけるより多くのデ−タビットを使用することによって、増加され得る。例えば、２ビットは、４つのアドレス間の選択を提供し、３ビットは、８つのアドレス間の選択を提供する等。
【００５１】
別の実施形態では、照明ユニットは、アドレス拡張子をランダムに選択し、それらに一意のアドレスを割り当てる。本アプロ−チでは、共通アドレスを共有する照明ユニットは、中央コントロ−ラによって、そのベ−スアドレスに対するアドレス拡張子として、所定の範囲内の数をランダムに選択するようにコマンドされる。乱数発生器は、前述のように、雑音デジタル信号の要求される数の最小有効ビットである、アドレス拡張子を選択するために使用され得る。アドレス拡張子の数の範囲の実施例は、４ビット２進数によって定義される、０から１５（１６進数では、０×０から０×Ｆ）であるが、任意の便利な範囲が使用され得る。そのアドレスとアドレス拡張子によって、光源をアドレス指定するために、ベ−スアドレスは、アドレス拡張子のために定義されたコマンドと、それに続くアドレス拡張子とともに、デ−タフィ−ルド内で送信される。このように、中央コントロ−ラは、共有アドレスにおける（例えば）１６個のアドレス拡張子を走査し、単一占有拡張子および複数占有拡張子のリストを作成する。単一および複数占有拡張子は両方とも、利用可能な一意のベ−スアドレスに再割当され得、非占有、単一、および複数占有アドレスのオリジナルテ−ブルは、本変化に伴って更新される。順に、複数占有アドレスはすべて、新アドレス拡張子をランダムに選択するようにコマンドされ、次いで、走査され、新しい非占有アドレスが再割当され、占有テ−ブルが、更新される。本プロセスは、全照明ユニットに、一意のアドレスが再割当されるまで、全複数占有アドレスを通して継続し得る。
【００５２】
いくつかの実施形態では、アドレスは、手動で割り当てられ得る。本アプロ−チは、例えば、１つ以上の照明ユニットが、照明システム内で追加または置換される場合、有利であり得る。本アプロ−チは、例えば、中央コントロ−ラ内の不揮発性記憶に記憶される、照明ユニットに対する使用および温度履歴デ−タが、照明ユニットを追加または置換することによって、システムが、整備または改変される場合、有効のままであることを確実にする。一実装は、中央コントロ−ラが、システム変化ステ−タスに対して、照明ユニットにクエリを行うポ−リング方式を使用する。照明ユニットは、各々、製造時、照明ユニットが構成されていないことを示すように設計される、不揮発性メモリ場所（例えば、ＥＥＰＲＯＭ内の１つ以上のデ−タビット）を具備する。このメモリ場所は、サ−ビスプロシ−ジャ後、照明ユニットが、アドレス構成、および可能性として、使用履歴を追跡するための他のプロシ−ジャを要求することを示すために、手動でも設定され得る。スイッチが、構成を要求するために、ＥＥＰＲＯＭを手動で設定するように、照明ユニット上に提供され得る。
【００５３】
中央コントロ−ラは、予備共通またはグロ−バルアドレスに対するコマンドによって、照明ユニットをポ−リングし得る。非構成ステ−タスを示す、ＥＥＰＲＯＭ内に設定された条件を伴う任意の照明ユニットは、本ポ−リングに応答し得る。ポ−リングに対して応答がある場合、中央コントロ−ラは、利用可能な未使用アドレスを応答する照明ユニットまたは複数のユニットに割り当て、次いで、ＥＥＰＲＯＭ条件をリセットし、構成がもはや必要ないことを示す。中央コントロ−ラは、複数の照明ユニットが、新しく割り当てられてアドレスを共有する場合、前述のプロシ−ジャを通して、一意のアドレスの割当を進める。ポ−リングコマンドは、中央コントロ−ラによって、周期的に発行され得、またはコントロ−ラ上のスイッチを動作させることによって、サ−ビス担当者によって開始され得る。
【００５４】
一意の識別子を電力バスに接続された複数のエンティティ（例えば、光源）に割り当てるための方法の一実施形態は、図８に示される。第１のステップ８０２では、クエリメッセ−ジは、電力バスを経由して、複数のエンティティによって使用される、アドレス空間内の各アドレスに伝送される。第２のステップ８０４では、電力バスは、１つ以上のエンティティからの応答に対して、各クエリされたアドレスを監視される（例えば、中央コントロ−ラによって）。第３のステップ８０６では、複数のエンティティが、同一アドレスを共有するかどうかが、応答通信に基づいて検出される。一実施形態では、中央コントロ−ラは、前述のように、電力バス上の電圧のレベルを監視することによって、ゼロ、１つ、または２つ以上の光源に、アドレスが割り当てられているかどうか決定する。第４のステップ８０８では、アドレス再割当メッセ−ジが（例えば、中央コントロ−ラによって）、各検出された複数のエンティティに伝送される。
【００５５】
また、本発明の実施形態は、１つ以上の製造品上または内で具現化される、１つ以上のコンピュ−タ可読プログラムとして提供され得ることに留意されたい。製造品は、例えば、フロッピ−ディスク、ハ−ドディスク、ＣＤＲＯＭ、ＣＤ−ＲＷ、ＣＤ−Ｒ、ＤＶＤＲＯＭ、ＤＶＤ−ＲＷ、ＤＶＤ−Ｒ、フラッシュメモリカ−ド、ＰＲＯＭ、ＲＡＭ、ＲＯＭ、または磁気テ−プ等の任意の好適なハ−ドウェア装置であり得る。一般に、コンピュ−タ可読プログラムは、任意のプログラムミング言語において実装され得る。使用され得る言語のいくつかの実施例として、Ｃ、Ｃ＋＋、またはＪＡＶＡ（登録商標）が挙げられる。ソフトウェアプログラムはさらに、機械言語または仮想機械命令に変換され、その形態において、プログラムファイル内に記憶され得る。プログラムファイルは、次いで、１つ以上の製造品上または内に記憶され得る。
【００５６】
本発明のある実施形態が、前述された。しかしながら、本発明は、それらの実施形態に限定されず、むしろ、その意図は、本明細書に明示的に説明されたものへの追加および修正もまた、発明の範囲内に含まれることであることに明示的に留意されたい。さらに、本明細書に説明される種々の実施形態の特徴は、相互に排他的ではなく、本明細書に明言されていない場合でも、発明の精神および範囲から逸脱することなく、種々の組み合わせおよび順列において存在することができることを理解されたい。実際、本明細書に説明されたものの変形例、修正、および他の実装は、発明の精神および範囲から逸脱することなく、当業者に想起させるであろう。したがって、本発明は、先行する例証的説明によってのみ定義されるものではない。
【図２Ｂ】
2013543216.tif 000003
【図１】
2013543216.tif 000004
【図２Ａ】
2013543216.tif 000005
【図３】
2013543216.tif 000006
【図４】
2013543216.tif 000007
【図５】
2013543216.tif 000008
【図６】
2013543216.tif 000009
【図７】
2013543216.tif 000010
【図８】
2013543216.tif 000011
【国際調査報告】
2013543216.tif 000012
2013543216.tif 000013
2013543216.tif 000014